(57)【特許請求の範囲】
【請求項１】
座部と背もたれにクッション性のマットを用いた一対の椅子と、天板および該天板を分離可能に支持する支持体とからなり、該支持体は一枚の板体からなる断面がコ字状の相対する一対の辺を外方に拡開し、ついでその各先端を前記コ字状断面の残余の頂面と平行状に外方に屈曲伸長させて伸長端を形成してなる支持部材の一対で構成され、両支持部材の端縁を天板裏面の所定の部位に係止して当該天板を床面から高い位置で支持して応接用等のテーブルを形成するようにし、かつ両支持部材の頂面を天板裏面の所定の部位に係止して天板を床面から低い位置で支持してベッド用の支持台を形成するようにしてなることを特徴とする家具セット。
【請求項２】
前記テーブルが、支持体を構成する両支持部材の断面コ字状の各頂面を相互に背中合わせに接して維持し、維持した部分を天板裏面の中央部に突設した少なくとも２つの突起の間に嵌め込んで係止したものであることを特徴とする請求項１記載の家具セット。
【請求項３】
前記テーブルを、前記一対の椅子とセットにすることを特徴とする請求項１又は２記載の家具セット。
【請求項４】
前記ベッド用の支持台が、少なくとも椅子の１つをベッドの一端として当該椅子に前記支持台を連接させ、椅子の背板に用いたクッション性マットを前記支持台に載置してベッドとするものであることを特徴とする請求項１記載の家具セット。
【発明の詳細な説明】
【０００１】
【発明の属する技術分野】
本発明は、椅子の一対とこの椅子の間で使用するテーブルとからなる３点の家具を簡単にベッドに転換して使用できる家具セットに関するものである。
【０００２】
【従来の技術】
ソファーの背もたれを倒してベッドとなり得るいわゆるソファーベッドは従来から知られており、このソファーベッドは同じ室内で居間と寝室を適当に使い分けて室内空間を有効に利用できる点で好評を拍している。
【０００３】
【発明が解決しようとする課題】
しかし、一方においてこのソファーベッドはソファーの背もたれを倒してベッドとするだけのものであるため、このソファーを応接用などに使用するにはテーブルがないという不便さを免れず、テーブルは別途準備しなければならない。
本発明の目的は、かゝるソファーベッド等の持つ問題に鑑み、応接用などとして充分有効に使用することができると共に、必要に応じて簡単にベッドに転換することができる家具セットを提供せんとするものである。
【０００４】
【課題を解決するための手段】
上記の目的を達成するため、本発明における請求項１は、座部と背もたれにクッション性のマットを用いた一対の椅子と、天板および該天板を分離可能に支持する支持体とからなり、該支持体は一枚の板体からなる断面がコ字状の相対する一対の辺を外方に拡開し、ついでその各先端を前記コ字状断面の残余の頂面と平行状に外方に屈曲伸長させて伸長端を形成してなる支持部材の一対で構成され、両支持部材の端縁を天板裏面の所定の部位に係止して当該天板を床面から高い位置で支持して応接用等のテーブルを形成するようにし、かつ両支持部材の頂面を天板裏面の所定の部位に係止して天板を床面から低い位置で支持してベッド用の支持台を形成するようにしてなることを特徴とする家具セットである。
【０００５】
また、請求項２は、前記テーブルが、支持体を構成する両支持部材の断面コ字状の各頂面を相互に背中合わせに接して維持し、維持した部分を天板裏面の中央部に突設した少なくとも２つの突起の間に嵌め込んで係止したものであることを特徴とする請求項１記載の家具セットである。
【０００６】
請求項３は、前記テーブルを、前記一対の椅子とセットにすることを特徴とする請求項１又は２記載の家具セットである。
【０００７】
さらに、請求項４は、前記ベッド用の支持台が、少なくとも椅子の１つをベッドの一端として当該椅子に前記支持台を連接させ、椅子の背板に用いたクッション性マットを前記支持台に載置してベッドとするものであることを特徴とする請求項１記載の家具セットである。
【０００８】
【発明の実施の形態】
本発明の家具セットに用いる一対の椅子は、少なくともシングルのベッドの横幅に相当するサイズの横幅を有し、セットとして用いる天板も四角な板体の相対する一対の辺、たとえば縦幅をこの椅子の横幅に対応したサイズのものとすることがよい。
また、天板の上記相対する一対の辺に連なる相対する他辺、すなわち上記の縦幅に対する横幅は、椅子の座部の奥行きの長さを加味して人が仰臥するに足る長さのものとするのがよい。
【０００９】
この天板を支える支持体は、板体からなる断面がコ字状の相対する一対の辺を所定の角度で外方に拡開し、ついでその各先端を前記コ字状断面の残余の頂面と平行状に外方に屈曲伸長させて伸長端を形成してなる支持部材の一対で構成されているが、これら支持部材の上記断面構造の端縁の部分を天板裏面に保持させることによって前記の椅子に対応した高さのテーブルとすることができるものである。
【００１０】
また、この支持体の支持部材における頂面に天板を載置して係止することによりベッド用の支持台とすることができるが、断面コ字状の相対する一対の辺が外方に拡開されているのでベッド用の支持台として安定感を与えることができる。その高さは椅子の座部の高さに対応したものである。
【００１１】
かゝる支持体と天板との係止には、支持部材の断面コ字状の頂面を相互に背中合わせに接して維持し、この維持した部分を天板裏面の中央部に突設した少なくとも２つの突起の間に嵌め込んで係止することによりテーブルの支持体とし、また、各支持部材をその伸長端を床面に接して並列させ、断面コ字状の頂面に形成した凹部に天板裏面に形成した突起をそれぞれ嵌入してベッド用の支持台とするものである。
【００１２】
こゝで天板裏面に形成する突起とは、点に近い単なる突出物の単一もしくは複数であってもよく、所定の長さの突条であってもよい。
また、支持体に形成する凹部とは、支持体を貫通して形成した通孔であってもよいが、貫通せずに形成した単なる凹陥部であってもよく、いずれにしてもこれら突起と凹部によって天板と支持体が係合状態を維持できればよい。
【００１３】
【作用】
本発明の家具セットは、一対の椅子と天板と天板を支える支持体とからなり、天板に対する支持体の取付けを変えることによって応接用などのテーブルとし、また、ベッド用の支持台に容易に変換して使用することができるものである。
【００１４】
この家具セットはソファーの背もたれを倒して単にベッドとするだけのソファーベッドとは異なり、一対の椅子と天板と支持体を組み合わせたテーブルによって応接用の３点セットを構成することができるのですこぶる有利であり、また、必要に応じて天板と支持体を組み換えることによってベッドとすることができるのできわめて便利なものである。
【００１５】
【実施例】
以下、本発明の家具セットの実施例について図面を引用して説明する。
図１は、本発明の家具セットの一例を示し、家具セット１は一対の椅子２ａ，２ｂとテーブル５のセットからなっている。
【００１６】
椅子２ａ，２ｂにはそれぞれの背もたれの部分にクッション性のマット３ａ，３ｂを分離できるように取り付け、また、座部の部分にもクッション性のマット４ａ，４ｂを取り付けている。
テーブル５は、天板６とこの天板６を下方から支持する支持体７で構成され、支持体７は一対の支持部材８ａ，８ｂで構成されている。
【００１７】
前記天板６は縦５７０ｍｍ×横７００ｍｍ×厚さ２０ｍｍの長方形の木質板材からなっており、表面はメラミン化粧で仕上げられている。
椅子２ａ，２ｂの横幅は天板６の縦幅と同じ５７０ｍｍである。
天板６の裏面には特に図２で示すように、横幅７００ｍｍの中央３５０ｍｍの位置からそれぞれ１７ｍｍの間隔、計３４ｍｍの間隔を保持して高さが４０ｍｍで長さが１８５ｍｍの突条９ａ，９ｂと、端縁から１０５ｍｍ内側に入った部分に同じく高さが４０ｍｍで長さが１８５ｍｍの突条１０ａ，１０ｂが形成されている。
【００１８】
支持体７は前記のとおり、一対の支持部材８ａ，８ｂで構成されているが、各支持部材は図１および図２に示すように、厚さ１５ｍｍの板材の加工によって得られた断面がコ字状の相対する一対の辺を外方に拡開し、ついでその各先端を前記コ字状断面の残余の頂面と平行状に外方に屈曲伸長させて伸長端１２，１２を形成した形状をなしている。
この支持部材８ａ，８ｂの断面コ字状の頂面１１，１１の中央にそれぞれ幅２５ｍｍで長さが２１０ｍｍの長孔１３ａ，１３ｂが形成されている。（図３参照）
前記断面コ字状の頂面１１，１１の長さは前記天板８に形成した突条９ａ，９ｂの長さ１８５ｍｍよりも若干長い１９０ｍｍに形成されている。
【００１９】
上記支持部材８ａ，８ｂの前記したコ字状で拡開された断面の連続方向の長さは５３０ｍｍであり、屈曲によって形成された伸長端１２，１２の相互の端縁迄の間隔は４７０ｍｍで、これは天板８の縦方向のサイズである５７０ｍｍよりも小さく設定されている。
また、支持部材８ａ，８ｂの頂面１１からこれと平行な伸長端１２，１２までの垂直距離は２６５ｍｍである。
【００２０】
この支持部材８ａ，８ｂは、図２に示すように断面コ字状の各頂面１１，１１を互に背中合わせに接するようにして保持し、この保持した部分をまとめて天板６の裏面中央に突設した前記突条９ａ，９ｂの間の平行な間隙内に嵌め込んで係止し、これによって天板６の脚部として該天板６を所定の高さで支持した支持体７を形成している。
【００２１】
かくして得られる天板６の厚みを加えたテーブル５の高さは、床面より５５０ｍｍという高い位置になっており、これは人が椅子２ａ，２ｂに腰掛けたときのテーブルとして使い勝手のよい調和のとれた高さであるので、前記一対の椅子２ａ，２ｂとセットで使用することができる。
【００２２】
この支持体７は天板６に対して各支持部材８ａ，８ｂを組み換えることによってベッド用の支持台とすることができるものである。
すなわち、図３，図４に示すように、前記支持部材８ａ，８ｂを天板６から分離し、支持部材８ａ，８ｂの各伸長端１２，１２，１２，１２を床面に接して並列させ、各支持部材８ａ，８ｂの断面コ字状の頂面１１，１１に形成した長孔１３ａ，１３ｂに天板６の裏面に形成した突条１０ａ，１０ｂを嵌め込んで前記の各支持部材８ａ，８ｂからなる支持体７と天板６によってベッド用の支持台１４とすることができる。
【００２３】
このベッド用の支持台１４は、図５に示すように、椅子２ａ，２ｂのうちの一方、たとえば椅子２ｂをベッドの一端として、この椅子２ｂに前記支持台１４を連接させ、椅子２ａ，２ｂの背もたれに用いたクッション性マット４ａ，４ｂを支持台１４に載置してベッドとするものである。
【００２４】
この支持台１４の床面より高さは、天板６の厚み２０ｍｍと支持部材８ａ，８ｂの頂面１１からこれと平行な伸長端１２，１２までの垂直距離である２６５ｍｍとの和の２８５ｍｍという低いレベルになっており、これは椅子２ａ，２ｂの座部の高さと同じであり、これにクッション性マット４ａ，４ｂを載置すると椅子２ｂの座部のマットと同じレベルとしてベッドに使用することができる。
なお、図示しないが、このベッドの支持台に他方の椅子２ａを連接させることによって丈の長い人のためのベッドとすることもできる。
【００２５】
【発明の効果】
本発明の家具セットは、一対の椅子、天板および該天板を支える支持体とからなり、天板に対する支持体の取付けを変えることによって応接用などのテーブルとし、また、ベッド用の支持台に容易に変換して使用することができるものである。
【００２６】
この家具セットはソファーの背もたれを倒して単にベッドとするだけのソファーベッドとは異なり、一対の椅子と共に天板と支持体とを組み合わせたテーブルによって３点セットを構成することができるので応接用としてすこぶる有利に使用することができると共に、必要に応じて天板と支持体を組み換えることによってベッドとすることができるのできわめて便利なものである。
【図面の簡単な説明】
【図１】本発明の家具セットの一例を斜視して天板の一部を透視した説明図である。
【図２】本発明の家具セットにおける天板と支持体とによるテーブルの組み立てを裏面から示した説明図である。
【図３】同じく本発明の家具セットにおける天板と支持体とによるベッド用の支持台の組み立てを裏面から示した説明図である。
【図４】図３のベッド用の支持台の側面図である。
【図５】本発明の家具セットをベッドとした場合の斜視図である。
【符号の説明】
１              家具セット
２ａ，２ｂ      椅子
３ａ，３ｂ      マット
４ａ，４ｂ      マット
５              テーブル
６              天板
７              支持体
８ａ，８ｂ      支持部材
９ａ，９ｂ      突条
１０ａ，１０ｂ    突条
１１              頂面
１２              伸長端
１３ａ，１３ｂ    長孔
１４              ベッド用の支持台
【図１】
0003679098.tif 000002
【図２】
0003679098.tif 000003
【図３】
0003679098.tif 000004
【図４】
0003679098.tif 000005
【図５】
0003679098.tif 000006